(57)【要約】      （修正有）【課題】通信機械室などの所望計測ポイントの温度を長期間にわたり無人で監視出来る、コンパクトで運搬可能な温度監視装置を提供する。【解決手段】持ち運び可能な大きさでカバン状を呈したボックスであり、本体及び蓋とからなり、内部に、電源装置２、計測ユニット３、温度センサー４、警報装置５などの各構成要素が収容されている。計測ユニット３は、後記する温度センサー４からの信号を入力し、演算処理を行い、計測ポイントの温度を検出して記録すると共に、異常温度検出の際に、下記する警報装置５に信号を送出する機能を有する。又、この計測ユニット３は、ハブ８を介してボックス１外のルーター９に計測値を送出し、ルーター９から該計測値を外部の各種機器類に供給出来る様になっている。。【選択図】図２
0003170348.tif 000002
【実用新案登録請求の範囲】
【請求項１】
運搬可能な大きさのボックス内に、電源装置、制御ユニット、電線の先端に熱電対が取付けられた長尺状の複数の温度センサー、異常高温の際に警報を発する警報装置がそれぞれ収容されていることを特徴とする可搬式温度監視装置。
【考案の詳細な説明】
【技術分野】
【０００１】
この考案は、可搬式の温度監視装置、詳しくは通信機械室などの所望計測ポイントの温度を長期間にわたり無人で監視出来る、コンパクトで運搬可能な温度監視装置に関するものである。
【背景技術】
【０００２】
通信機械室の空調機（ＭＡＣＳ）の更改工事の際などには、当該通信機械室の室内の温度を絶えず監視し、異常昇温の際の警報の発出や計測データの記録などを行わなければならない。
【考案の概要】
【考案が解決しようとする課題】
【０００３】
従来においては、通信機械室の温度監視は、通信機械室内の所望計測ポイントに温度計を設置し、監視要員がそれらを絶えず監視して計測し続けることによって実施されていた。従って、従来の方法では監視要員の配置が必要であり、これに伴い、要員の手配や人件費が大きな負担となっていた。
【０００４】
本考案者は、空調機の更改工事などの際の通信機械室の温度測定に関する上記従来の問題点を解決せんとして鋭意研究を行った結果、通信機械室内の温度監視を長期間にわたり無人で効率よく実施出来る便利な可搬式の温度監視装置を開発することに成功し、本考案としてここに提案するものである。
【課題を解決するための手段】
【０００５】
運搬可能な大きさのボックス内に、電源装置、制御ユニット、電線の先端に熱電対が取付けられた長尺状の複数の温度センサー、異常高温の際に警報を発する警報装置をそれぞれ収容して可搬式温度監視装置を構成することにより、上記課題を解決した。
【考案の効果】
【０００６】
従来の様に、温度監視の為に監視要員を計測ポイントに常時配置しておく必要がなく、要員の配置に伴う人件費を大幅に減らすことが出来、通信機械室の空調機の更改工事など、厳重な温度管理を必要とする各種工事のコスト低減化に大きく寄与し得る。
【０００７】
又、計測した温度データは逐次表示画面上にトレンドとして表示されるので、よりきめの細かな温度管理が可能となる。更に、全体がボックス内に収容されており、持ち運び可能なので、設置作業及び撤収作業が極めて容易で、手軽に高精度な温度計測を可能とする効果を有し、高い実用的価値を持つ。
【図面の簡単な説明】
【０００８】
【図１】この考案に係る可搬式温度監視装置の一実施例の斜視図。
【図２】同じく、その回路構成を模式的に描いた示ブロック図。
【考案を実施するための形態】
【０００９】
運搬可能な大きさのボックス内に、電源装置、制御ユニット、長尺状の温度センサー、警報装置などの構成要素を収容し、ワンパッケージ化した点に最大の特徴が存する。
【実施例】
【００１０】
図１はこの考案に係る可搬式温度監視装置の一実施例の斜視図、図２はその回路構成を模式的に描いたブロック図である。
【００１１】
図中１は持ち運び可能な大きさでカバン状を呈したボックスであり、本体６及び蓋７とからなり、このボックス１内には、電源装置２、計測ユニット３、温度センサー４、警報装置５などの本考案の各構成要素が収容されている。電源装置２は、交流１００ボルトの商用電流を直流２４ボルトに整流降圧して計測ユニット３、温度センサー４、警報装置５などにその駆動用電力を供給するものである。
【００１２】
計測ユニット３は、後記する温度センサー４からの信号を入力し、演算処理を行い、計測ポイントの温度を検出して記録すると共に、異常温度検出の際に、下記する警報装置５に信号を送出する機能を有する。又、この計測ユニット３は、ハブ８を介してボックス１外のルーター９に計測値を送出し、ルーター９から該計測値を外部の各種機器類に供給出来る様になっている。
【００１３】
更に、計測ユニット３は計測データの表示画面１０を有し、計測ポイントの温度を所望の間隔（例えば０．１秒間隔）で計測し、表示画面１０上に計測した温度のトレンドを表示すると共に、データを記録出来る様になっている。なお、この実施例においては計測データは２００日間にわたり継続して計測出来る様になっている。
【００１４】
又、この実施例において、計測ユニットの温度計測の時間、記録時間、警報値は任意に設定出来る様になっている。
【００１５】
一方、温度センサー４は電線１２の先端に熱電対１１を取り付けた長尺状の器材であり、この実施例においては１００ｍの長さを有しており、先端に取付けられている熱電対１１を所望の計測ポイントに配置することにより、該計測ポイントの温度を計測できる様になっている。又、この実施例においては、温度センサー４は８本設けられており、８箇所の計測ポイントの温度計測が可能である。
【００１６】
又、警報装置５は、前記計測ユニット３が異常温度を感知した際に、音響や発光などによって警告を発する装置であり、この実施例においては、ブザーの響鳴及び回転警告灯の発光によって警告を発する様になっている。なお、ブザーの音量は任意に調整出来る様になっている。
【００１７】
この考案は上記の通りの構成を有するものであり、空調機の更改工事中の通信機械室など、温度を計測すべき室内に、計測ユニット３、温度センサー４等が収容させているボックス１を運搬して載置し、該ボックス１内から長尺状をなした温度センサー４をのばし、その先端に取り付けられている熱電対１１を所望の計測ポイントに配置して、計測ユニット３を起動させて計測ポイントの温度の計測を行う。
【００１８】
なお、この実施例においては、温度センサー４は８本設けられているので、合計８箇所の計測ポイントの温度計測が可能である。そして、温度センサー４からの温度データは任意の間隔、例えば０．１秒間隔で計測ユニット３で逐次演算処理され、表示画面上に計測温度のトレンドが表示されると共に、継続的に記録される。又、計測ユニット３からの計測温度データはハブ８を介して外部のルーター９に逐次送られ、該ルーター９から各部の各種機器類に転送される。なお、インターネット接続が可能な場合にはメールによって遠隔警報を発することも可能である。
【００１９】
この様に、この考案に係る可搬式温度監視装置においては、従来の様に、温度監視の為に監視要員を計測箇所に常時配置しておく必要がなく、要員の配置に伴う人件費を大幅に減らすことが出来、通信機械室の空調機の更改工事など、厳重な温度管理を必要とする各種工事のコスト低減化に大きく寄与し得る。    又、計測した温度データは長期にわたって記録されると共に、逐次表示画面上にトレンドとして表示されるので、よりきめの細かな温度管理が可能となる。更に、全体がボックス内に収容されており、持ち運び可能なので、設置作業及び撤収作業が極めて容易で、手軽に高精度な温度計測を可能とし得る効果を有し、高い実用的価値を有する。
【産業上の利用可能性】
【００２０】
通信機械室の空調機の更改工事だけではなく、温度管理を必要とする各種施設の施工工事の際に利用可能である。
【符号の説明】
【００２１】
１  ボックス
２  電源装置
３  計測ユニット
４  温度センサー
５  警報装置
６  本体
７  蓋
８  ハブ
９  ルーター
１０  表示画面
１１  熱電対
１２  電線
【図１】
0003170348.tif 000003
【図２】
0003170348.tif 000004
【手続補正書】
【提出日】平成23年7月7日(2011.7.7)
【手続補正１】
【補正対象書類名】明細書
【補正対象項目名】全文
【補正方法】変更
【補正の内容】
【考案の詳細な説明】
【技術分野】
【０００１】
この考案は、可搬式の温度監視装置、詳しくは通信機械室などの所望計測ポイントの温度を長期間にわたり無人で監視出来る、コンパクトで運搬可能な温度監視装置に関するものである。
【背景技術】
【０００２】
通信機械室の空調機（ＭＡＣＳ）の更改工事の際などには、当該通信機械室の室内の温度を絶えず監視し、異常昇温の際の警報の発出や計測データの記録などを行わなければならない。
【考案の概要】
【考案が解決しようとする課題】
【０００３】
従来においては、通信機械室の温度監視は、通信機械室内の所望計測ポイントに温度計を設置し、監視要員がそれらを絶えず監視して計測し続けることによって実施されていた。従って、従来の方法では監視要員の配置が必要であり、これに伴い、要員の手配や人件費が大きな負担となっていた。
【０００４】
本考案者は、空調機の更改工事などの際の通信機械室の温度測定に関する上記従来の問題点を解決せんとして鋭意研究を行った結果、通信機械室内の温度監視を長期間にわたり無人で効率よく実施出来る便利な可搬式の温度監視装置を開発することに成功し、本考案としてここに提案するものである。
【課題を解決するための手段】
【０００５】
運搬可能な大きさのボックス内に、電源装置、計測ユニット、電線の先端に熱電対が取付けられた長尺状の複数の温度センサー、異常高温の際に警報を発する警報装置をそれぞれ収容して可搬式温度監視装置を構成することにより、上記課題を解決した。
【考案の効果】
【０００６】
従来の様に、温度監視の為に監視要員を計測ポイントに常時配置しておく必要がなく、要員の配置に伴う人件費を大幅に減らすことが出来、通信機械室の空調機の更改工事など、厳重な温度管理を必要とする各種工事のコスト低減化に大きく寄与し得る。
【０００７】
又、計測した温度データは逐次表示画面上にトレンドとして表示されるので、よりきめの細かな温度管理が可能となる。更に、全体がボックス内に収容されており、持ち運び可能なので、設置作業及び撤収作業が極めて容易で、手軽に高精度な温度計測を可能とする効果を有し、高い実用的価値を持つ。
【図面の簡単な説明】
【０００８】
【図１】この考案に係る可搬式温度監視装置の一実施例の斜視図。
【図２】同じく、その回路構成を模式的に描いた示ブロック図。
【考案を実施するための形態】
【０００９】
運搬可能な大きさのボックス内に、電源装置、計測ユニット、長尺状の温度センサー、警報装置などの構成要素を収容し、ワンパッケージ化した点に最大の特徴が存する。
【実施例】
【００１０】
図１はこの考案に係る可搬式温度監視装置の一実施例の斜視図、図２はその回路構成を
模式的に描いたブロック図である。
【００１１】
図中１は持ち運び可能な大きさでカバン状を呈したボックスであり、本体６及び蓋７とからなり、このボックス１内には、電源装置２、計測ユニット３、温度センサー４、警報装置５などの本考案の各構成要素が収容されている。電源装置２は、交流１００ボルトの商用電流を直流２４ボルトに整流降圧して計測ユニット３、温度センサー４、警報装置５などにその駆動用電力を供給するものである。
【００１２】
計測ユニット３は、後記する温度センサー４からの信号を入力し、演算処理を行い、計測ポイントの温度を検出して記録すると共に、異常温度検出の際に、下記する警報装置５に信号を送出する機能を有する。又、この計測ユニット３は、ハブ８を介してボックス１外のルーター９に計測値を送出し、ルーター９から該計測値を外部の各種機器類に供給出来る様になっている。
【００１３】
更に、計測ユニット３は計測データの表示画面１０を有し、計測ポイントの温度を所望の間隔（例えば０．１秒間隔）で計測し、表示画面１０上に計測した温度のトレンドを表示すると共に、データを記録出来る様になっている。なお、この実施例においては計測データは２００日間にわたり継続して計測出来る様になっている。
【００１４】
又、この実施例において、計測ユニットの温度計測の時間、記録時間、警報値は任意に設定出来る様になっている。
【００１５】
一方、温度センサー４は電線１２の先端に熱電対１１を取り付けた長尺状の器材であり、この実施例においては１００ｍの長さを有しており、先端に取付けられている熱電対１１を所望の計測ポイントに配置することにより、該計測ポイントの温度を計測できる様になっている。又、この実施例においては、温度センサー４は８本設けられており、８箇所の計測ポイントの温度計測が可能である。
【００１６】
又、警報装置５は、前記計測ユニット３が異常温度を感知した際に、音響や発光などによって警告を発する装置であり、この実施例においては、ブザーの響鳴及び回転警告灯の発光によって警告を発する様になっている。なお、ブザーの音量は任意に調整出来る様になっている。
【００１７】
この考案は上記の通りの構成を有するものであり、空調機の更改工事中の通信機械室など、温度を計測すべき室内に、計測ユニット３、温度センサー４等が収容させているボックス１を運搬して載置し、該ボックス１内から長尺状をなした温度センサー４をのばし、その先端に取り付けられている熱電対１１を所望の計測ポイントに配置して、計測ユニット３を起動させて計測ポイントの温度の計測を行う。
【００１８】
なお、この実施例においては、温度センサー４は８本設けられているので、合計８箇所の計測ポイントの温度計測が可能である。そして、温度センサー４からの温度データは任意の間隔、例えば０．１秒間隔で計測ユニット３で逐次演算処理され、表示画面上に計測温度のトレンドが表示されると共に、継続的に記録される。又、計測ユニット３からの計測温度データはハブ８を介して外部のルーター９に逐次送られ、該ルーター９から各部の各種機器類に転送される。なお、インターネット接続が可能な場合にはメールによって遠隔警報を発することも可能である。
【００１９】
この様に、この考案に係る可搬式温度監視装置においては、従来の様に、温度監視の為に監視要員を計測箇所に常時配置しておく必要がなく、要員の配置に伴う人件費を大幅に減らすことが出来、通信機械室の空調機の更改工事など、厳重な温度管理を必要とする各
種工事のコスト低減化に大きく寄与し得る。    又、計測した温度データは長期にわたって記録されると共に、逐次表示画面上にトレンドとして表示されるので、よりきめの細かな温度管理が可能となる。更に、全体がボックス内に収容されており、持ち運び可能なので、設置作業及び撤収作業が極めて容易で、手軽に高精度な温度計測を可能とし得る効果を有し、高い実用的価値を有する。
【産業上の利用可能性】
【００２０】
通信機械室の空調機の更改工事だけではなく、温度管理を必要とする各種施設の施工工事の際に利用可能である。
【符号の説明】
【００２１】
１  ボックス
２  電源装置
３  計測ユニット
４  温度センサー
５  警報装置
６  本体
７  蓋
８  ハブ
９  ルーター
１０  表示画面
１１  熱電対
１２  電線
【手続補正２】
【補正対象書類名】実用新案登録請求の範囲
【補正対象項目名】全文
【補正方法】変更
【補正の内容】
【実用新案登録請求の範囲】
【請求項１】
運搬可能な大きさのボックス内に、電源装置、計測ユニット、電線の先端に熱電対が取付けられた長尺状の複数の温度センサー、異常高温の際に警報を発する警報装置がそれぞれ収容されており、電源装置は計測ユニット、温度センサー、警報装置にそれぞれ電気的に接続され、これらに駆動用電力を供給する様になっており、計測ユニットは、電源装置、温度センサー及び警報装置にそれぞれ電気的に接続され、温度センサーからの信号を入力し、演算処理を行い、異常温度検出の際に、警報装置に信号を送出する様になっており、温度センサーは、電源装置及び計測ユニットにそれぞれ電気的に接続され、温度測定値を電気信号として計測ユニットに送出する様になっており、警報装置は、電源装置及び計測ユニットにそれぞれ電気的に接続されており、異常温度の際に音響や発光によって警告を発するようになっていることを特徴とする可搬式温度監視装置。